(57)【特許請求の範囲】
【請求項１】
判断の対象となる期間について、一つの建物についての空調装置が立ち上がる空調立上平均時刻を横軸に、該空調立上平均時刻の１時間前の時刻における室温を縦軸に設定して、それぞれの空調系統についての値を描画した空調起動時散布図と、
横軸に前記空調系統のそれぞれを設定し、縦軸の一方に空調立上時刻を、他方に温度を設定して、それぞれの空調系統毎に空調立上時刻と立上１時間前室温、立上１時間前外気温度とを描画した外冷運転状況図とからなり、
前記空調起動時散布図の描画値のうち同図上における所望の変更可能範囲内にある値について、エネルギー効率の最適化のために起動時刻の改善が可能であると判断し、
前記外冷運転状況図によっていずれの空調系統について起動時刻の変更を行うかを判断することを特徴とする空調立上時刻診断手法。
【発明の詳細な説明】
【技術分野】
【０００１】
この発明は、建物における各空調系統における空調機の立ち上げ時刻の診断のための手法に関し、特に中間期における空調機の立ち上げ時刻の適否を判断する空調立上時刻診断手法に関する。
【背景技術】
【０００２】
地球環境問題の深刻化は、建物における省エネルギーやエネルギー効率の最適化を推進することを要求している。エネルギー削減を図る上において、種々のエネルギー効率の向上を図ることが要求される。このための手法として、ビルエネルギーマネジメントシステム（Building and Energy Management System、以下「BEMS」と略記する。）が導入され、建物の施設内における空調設備や照明設備等を対象として、室内環境や設備の状況を監視し、それらの運転制御を行うことによって、室内環境とエネルギー消費状況の最適化を図ることで、エネルギー削減が図られている。
【０００３】
例えば、特許文献１には、建物で使用されるエネルギーの実績値を目標値以下にするためのビルエネルギー管理装置として、建物で使用されるエネルギーの現時点における実績値を入力し、入力された現時点の実績値と所定期間の目標値とを照合する照合手段と、照合手段による照合結果を月形式の累積グラフ、日形式の累積グラフまたは時間形式の累積グラフのいずれかで、前記所定期間の目標値に対する現時点の状況を表示部に表示させる表示制御手段と、を備えた構成が開示されている。
【０００４】
また、特許文献２には、業務用ビル等の施設におけるエネルギー消費を監視するエネルギー監視装置として、施設内でのエネルギー消費に関するエネルギー消費情報を表示手段に表示するエネルギー監視装置において、所定の計量区分でのエネルギー消費に関する前記エネルギー消費情報を表示する際に、該計量区分を選択するための選択画面であって、上位の階層の計量区分を下位の階層において所定の要素で分別することによって選択可能な計量区分を階層化し、該階層化した各計量区分を選択可能に階層表示した選択画面を前記表示手段に表示させる選択画面表示手段と、前記選択画面表示手段により表示された選択画面において所望の計量区分を選択する選択手段と、前記選択手段により選択された計量区分のエネルギー消費に関するエネルギー消費情報を前記表示手段に表示させるエネルギー消費情報表示手段と、を備えた構成が開示されている。
【０００５】
また、特許文献３には、施設内の多数の計測器からの膨大な計測データに基づき所望の評価を行うためのグラフ表示が容易に行えるエネルギー管理システムのためのグラフ表示装置として、被計測対象に対して設けられた多数の計測器から得られる計測データに基づいて所望の評価を行うためのグラフ表示を入力手段と表示手段を使用してオペレータと対話的に行う施設内のエネルギー管理を行うエネルギー管理システムのためのグラフ表示装置であって、各軸にそれぞれ計測名称又は時間軸が規定された所望の評価を行うための予め作成された多種の元グラフを格納した元グラフ格納手段と、上記各計測器から送られてくる計測データを蓄積して格納する計測データ蓄積格納手段と、上記元グラフ格納手段に格納されたグラフ一覧表を表示してオペレータに使用するグラフの選定を促す手段と、オペレータにより選定された元グラフの計測名称に関する上記計測データ蓄積手段に格納された計測データを表示しオペレータに上記元グラフの各軸に設定する計測データの選定を促す手段と、上記選定された元グラフおよび計測データによるグラフ表示の実行の指示をオペレータに促しこれに対する指示に従って表示を行うグラフ表示手段と、を備えた構成が開示されている。
【先行技術文献】
【特許文献】
【０００６】
【特許文献１】特開２００８−２３６９０４号公報
【特許文献２】特開２００７−１９９７８３号公報
【特許文献３】特開２００５−２５９０６２号公報
【発明の概要】
【発明が解決しようとする課題】
【０００７】
ところで、ビルディング（以下「ビル」と略記する。）の管理を専門に行うビル管理会社等では複数のビル等の建物について管理を行っており、それぞれの建物について室内環境とエネルギー効率の最適化を図ることが行われている。この種のエネルギー効率の最適化のために、例えば特許文献１に記載されたエネルギー管理装置では、所定期間の目標値が設定され、この目標値と実績値とを照合した照合結果を月形式の累積グラフ等で表示させることが行われている。
【０００８】
他方、ビルの室内環境等の最適化を図るためには、それぞれの室について個別にそれぞれの室内環境等を把握する必要がある。また、ビルの立地等によっても室内環境等が異なるから、複数の建物の管理を行っているビル管理会社等は、個別のビル毎についてそれぞれの室の室内環境等を把握することが必要となる。そして、把握した室内環境等のデータをもとにして、室内環境やエネルギー効率の最適化を図るための空調設備や照明設備等の運転の調整を行うことになる。
【０００９】
ビル管理会社等は、把握した室内環境やエネルギー効率の最適化を図るための空調設備等の運転調整について、建物の所有者に対して説明する。このとき、所有者の理解が容易となるような資料を必要とする。
【００１０】
ところで、夜間には滞在者が減少しあるいは不在となるオフィスビル等では、出勤時に合わせて空調装置が起動されることが一般的である。しかし、前述した通り、それぞれの室については個別の環境下にあって、エネルギー効率の最適化を図る上においては、各室や当該ビルに配されている空調系統について個別に判断する必要が生じる。エネルギー効率の向上のためには、各室や空調系統について個別にその起動時刻の最適化を図ることが一つの方策である。特に、室環境が個別に異なるため、例えば夜間の冷気による環境温度の変化が異なるから、起動時刻の適正化はそれぞれの空調系統毎等に行う必要がある。このとき、起動時刻の適正化の指標となる資料があることが好ましい。
【００１１】
そこで、この発明は、多くの建物にBEMSが導入されていることに着目して、BEMSで得られた各種の計測データをもとにして、当該建物における空調装置の起動時刻が適正か否かの判断を行えるようにする空調立上時刻診断手法を、提供することを目的としている。
【課題を解決するための手段】
【００１２】
前記目的を達成するための技術的手段として、この発明に係る空調立上時刻診断手法は、判断の対象となる期間について、一つの建物についての空調装置が立ち上がる空調立上平均時刻を横軸に、該空調立上平均時刻の１時間前の時刻における室温を縦軸に設定して、それぞれの空調系統についての値を描画した空調起動時散布図と、横軸に前記空調系統のそれぞれを設定し、縦軸の一方に空調立上時刻を、他方に温度を設定して、それぞれの空調系統毎に空調立上時刻と立上１時間前室温、立上１時間前外気温度とを描画した外冷運転状況図とからなり、前記空調起動時散布図の描画値のうち同図上における所望の変更可能範囲内にある値について、エネルギー効率の最適化のために起動時刻の改善が可能であると判断し、前記外冷運転状況図によっていずれの空調系統について起動時刻の変更を行うかを判断することを特徴としている。
【００１３】
一つの建物について、前記BEMSによって各室の室温と空調装置の発停情報、当該建物の外気温度についてのデータを採取する。これらのデータの空調装置の起動時刻と該起動時刻よりも１時間前における室温との関係を前記空調起動時散布図に描画する。例えば室温が22℃〜26℃の範囲を変更可能範囲とした場合、描画された値がこの範囲にある室あるいは空調系統については起動時刻の適正化を行える可能性があると判断できる。この場合、空調起動時散布図では、変更可能範囲に含まれた値が、いずれの室あるいは空調系統のものであるかが不明である。このため、前記外冷運転状況図を参照する。
【００１４】
前記外冷運転状況図では、各室が含まれる空調系統についての空調起動時刻と外気温度及び室温のそれぞれの空調起動１時間前データが描画されている。このうち、空調立上１時間前における室温が前述した変更可能範囲にある空調系統については空調立上時刻を遅らせることによってエネルギー効率の改善を図れると判断する。また、外気温度を参考にして室温との差が少ない場合には、描画されたデータの１時間後、すなわち空調立上時刻における室温の下降が小さいと考えられるので、空調起動時刻を変更してもさほどの効果が期待できないと判断できる。
【発明の効果】
【００１５】
この発明に係る空調立上時刻診断手法によれば、建物についての空調立上時刻の改善の要否を前記空調起動時散布図によって容易に判断できる。そして、前記外冷運転状況図によっていずれの空調系統あるいは室について空調起動時刻を変更するかを容易に判断できる。したがって、空調起動時刻を変更することにより、エネルギー効率を向上させることができる。
【図面の簡単な説明】
【００１６】
【図１】この発明に係る空調立上時刻診断手法の実施に使用する空調起動時散布図の一例であり、一つの建物についてのデータである。
【図２】図１に示す建物についての外冷運転状況図である。
【図３】他の建物についての外冷運転状況図である。
【発明を実施するための形態】
【００１７】
以下、図示した好ましい実施の形態に基づいて、この発明に係る空調立上時刻診断手法を具体的に説明する。
【００１８】
図１にはこの発明に係る空調立上時刻診断手法を実施するに際して使用する某年10月の空調起動時散布図であり、横軸には空調平均立上時刻が、縦軸には空調の立上時刻１時間前室温が設定され、空調系統のそれぞれについてのこれら時刻と室温との関係が描画されている。また、同図上ハッチングが施された温度の範囲、すなわち、室温が22℃〜26℃の範囲を変更可能範囲とされている。なお、この変更可能範囲は建物の立地条件や用途等に応じて適宜となる所望の範囲が設定される。
【００１９】
図２には、図１の空調起動時散布図が描かれた建物についての同年10月の外冷運転状況図を示してある。この外冷運転状況図は、横軸に空調系統を、縦軸の一方には空調立上時刻を、縦軸の他方には温度を設定してあり、それぞれの空調系統について、空調起動時刻（−）と、空調機の立上１時間前室温（○）、立上１時間前外気温度（◇）とを描画する。なお、ハッチングを施した部分は空調起動時刻についての変更可能範囲である。
【００２０】
以上のように作成された空調起動時散布図と外冷運転状況図とを参照して、空調装置の起動時刻の適否を判断する。
【００２１】
空調起動時散布図は、当該建物における空調起動時刻の改善の要否ついて判断するものであり、前記変更可能範囲に描画されている値を示した空調系統については起動時刻の変更が可能であると判断する。この空調起動時散布図は当該建物全体についての判断は行えるが、いずれの空調系統について起動時刻の変更を行えるか否かの判断までは行えない。そのためには、図２に示す当該建物についての外冷運転状況図を使用する。この外冷運転状況図では、横軸に空調系統が設定されているから、変更可能範囲に含まれているデータがいずれの空調系統のものであるかを容易に把握できる。これにより、起動時刻についての改善が可能な空調系統について改善を行うことが可能となる。
【００２２】
図２に示す外冷運転状況図では、殆どの空調系統が変更可能範囲に含まれているため、これらの空調系統について改善の可能性が存していると判断できる。
【００２３】
図３は、異なるビルについての外冷運転状況図を示しており、このビルにおいては空調系統のうち変更可能範囲Ａに含まれているものは少なく、このビルとしては良好なエネルギー効率下にあると判断できる。この図３に示すビルについて、図１に示すような空調起動時散布図を描いた場合には変更可能範囲Ａに含まれる値が少ないため、当該ビルについては空調装置の起動時刻に関して改善する必要性は少ないと判断される。
【産業上の利用可能性】
【００２４】
この発明に係る空調立上時刻診断手法によれば、空調装置の運転時間を適正にしてエネルギー効率を向上させる。しかも、空調装置の起動時刻に関して現状の問題点を把握しやすく、空調装置の運転効率の向上に寄与する。
【符号の説明】
【００２５】
Ａ  変更可能範囲
【図１】
0005325961.tif 000002
【図２】
0005325961.tif 000003
【図３】
0005325961.tif 000004